(57)【特許請求の範囲】
【請求項１】
複数の交換機からなる通信網と、
上記複数の交換機のうちの第１の交換機に第１の伝送路を介して接続されると共に第２の交換機に第２の伝送路を介して接続された第１の伝送装置と、
上記複数の交換機のうちの第３の交換機に第３の伝送路を介して接続されると共に第４の交換機に第４の伝送路を介して接続された第２の伝送装置と、
上記第１および上記第２の伝送装置にそれぞれ設けられ、上記第１および上記第３の伝送路および上記第１および上記第３の交換機を経由する第１のストレートルート、上記第２および上記第４の伝送路および上記第２および上記第４の交換機を経由する第２のストレートルートの２つのストレートルートの伝送路を介して受信された両データが共に異常となる障害を検出する障害検出部と、
上記第１および上記第２の伝送装置にそれぞれ設けられ、上記障害検出部による両データが共に異常となる障害が検出されていない時は、２つのストレートルートの伝送路を介してデータを送信し、その障害検出部による両データが共に異常となる障害が検出された時は、上記第１および上記第４の伝送路および上記第１および上記第４の交換機を経由する第１のクロスルート、上記第２および上記第３の伝送路および上記第２および上記第３の交換機を経由する第２のクロスルートの２つのクロスルートの伝送路を介してデータを送信する伝送制御部とを備えたデータ伝送制御システム。
【請求項２】
複数の交換機からなる通信網と、
上記複数の交換機のうちの第１の交換機に第１の伝送路を介して接続されると共に第２の交換機に第２の伝送路を介して接続された第１の伝送装置と、
上記複数の交換機のうちの第３の交換機に第３の伝送路を介して接続されると共に第４の交換機に第４の伝送路を介して接続された第２の伝送装置と、
上記第１および上記第２の伝送装置にそれぞれ設けられ、上記第１および上記第３の伝送路および上記第１および上記第３の交換機を経由する第１のストレートルート、上記第２および上記第４の伝送路および上記第２および上記第４の交換機を経由する第２のストレートルートの２つのストレートルートの伝送路を介してヘルスチェック信号を送信するヘルスチェック信号送信部と、
上記第１および上記第２の伝送装置にそれぞれ設けられ、２つのストレートルートの伝送路を介して受信されたヘルスチェック信号の両信号が共に異常となる障害を検出する障害検出部と、
上記第１および上記第２の伝送装置にそれぞれ設けられ、上記障害検出部による両信号が共に異常となる障害が検出されていない時は、２つのストレートルートの伝送路を介してデータを送信し、その障害検出部による両信号が共に異常となる障害が検出された時は、上記第１および上記第４の伝送路および上記第１および上記第４の交換機を経由する第１のクロスルート、上記第２および上記第３の伝送路および上記第２および上記第３の交換機を経由する第２のクロスルートの２つのクロスルートの伝送路を介してデータを送信する伝送制御部とを備えたデータ伝送制御システム。
【請求項３】
複数の交換機からなる通信網と、
上記複数の交換機のうちの第１の交換機に第１の伝送路を介して接続されると共に第２の交換機に第２の伝送路を介して接続された第１の伝送装置と、
上記複数の交換機のうちの第３の交換機に第３の伝送路を介して接続されると共に第４の交換機に第４の伝送路を介して接続された第２の伝送装置と、
上記第１および上記第２の伝送装置にそれぞれ設けられ、上記第１および上記第３の伝送路および上記第１および上記第３の交換機を経由する第１のストレートルート、上記第２および上記第４の伝送路および上記第２および上記第４の交換機を経由する第２のストレートルートの２つのストレートルート、および上記第１および上記第４の伝送路および上記第１および上記第４の交換機を経由する第１のクロスルート、上記第２および上記第３の伝送路および上記第２および上記第３の交換機を経由する第２のクロスルートの２つのクロスルートの伝送路を介してヘルスチェック信号を送信するヘルスチェック信号送信部と、
上記第１および上記第２の伝送装置にそれぞれ設けられ、２つのストレートルートの伝送路を介して受信されたヘルスチェック信号の両信号が共に異常となる障害を検出すると共に、２つのクロスルートの伝送路を介して受信されたヘルスチェック信号の両信号が共に異常となる障害を検出する障害検出部と、
上記第１および上記第２の伝送装置にそれぞれ設けられ、上記障害検出部による両信号が共に異常となる障害が検出されていない２つのストレートルートの伝送路または２つのクロスルートの伝送路を介してデータを送信する伝送制御部とを備えたデータ伝送制御システム。
【請求項４】
第１および第２の伝送装置にそれぞれ設けられ、障害検出部による両信号が共に異常となる信号が規定時間、あるいは規定回数以上検出された場合に障害と判定し、その障害判定後に両信号が共に正常となる信号が規定時間、あるいは規定回数以上検出された場合に回復と判定する判定部を備えたことを特徴とする請求項２または請求項３記載のデータ伝送制御システム。
【請求項５】
第１および第２の伝送装置にそれぞれ設けられ、データを送信する２つのストレートルートの伝送路または２つのクロスルートの伝送路を手動により切り替え自在にする手動切り替え部と、
現在使用中の伝送路のルートを表示する表示部とを備えたことを特徴とする請求項１から請求項４のうちのいずれか１項記載のデータ伝送制御システム。
【発明の詳細な説明】
【０００１】
【発明の属する技術分野】
この発明は、ＡＴＭ網やフレームリレー網のような再送制御機能を持たない網で伝送路を使用して通信を行うデータ伝送制御システムに関するものである。
【０００２】
【従来の技術】
図７は例えば特開平５−２０６８９４号公報に示された従来の２ルート伝送制御システムを示すシーケンス図であり、図において、１，２はルートａ，ｂの２ルートの伝送路を介して相互に接続された伝送装置である。
【０００３】
次に動作について説明する。
伝送装置１，２は互いにルートａ，ｂの２ルートの伝送路を利用してデータ伝送を行っており、通常時はルートａから受信されたデータを採用している。
受信データが正常に送られていることを、ルート対応に監視タイマを設けて一定周期毎に監視しており、データが受信できれば、これら各監視タイマはそれぞれリセットされる。したがって、何らかのルート異常によりデータが受信できなければ、そのルート対応の監視タイマはタイムアウトとなり、異常検出される。
【０００４】
この例では、通常ルートａから受信されたデータを採用している場合を示しており、このルートａの監視タイマがタイムアウトを示したとき、これに対応して他のルートｂに切り替え、ルートｂから受信されたデータを採用する。それと同時にこのルートａ側の監視タイマのカウント動作を停止させる。
その後、ルートｂ側でも監視タイマのタイムアウトが生じると、同様にその監視タイマのカウント動作を停止させると同時に、ルートａ側の監視タイマが停止していることを検出してルートａへの切り替えを抑止するように制御する。
【０００５】
【発明が解決しようとする課題】
従来の２ルート伝送制御システムは以上のように構成されているので、再送制御機能を持たない網において、一旦、ルートａ，ｂ共に異常になってしまうと、その間、全伝送データは廃棄されてしまう。例えば、図２に示す伝送路のたすきがけ障害のようにそれぞれのルートの障害が局部的な場合においても同様である。すなわち、従来のままでは、再送制御機能を持たない網において両ルート異常が発生した場合は、上位の回路もしくはソフトウェアで再送制御を行ってもルート異常が回復するまでは両ルートは共に切断され、通信不可となるなどの課題があった。
【０００６】
この発明は上記のような課題を解決するためになされたもので、伝送路のたすきがけ障害が発生した場合でもデータ伝送を可能にして、伝送路の健全性をより高めると共に通信システムの信頼性を向上させるデータ伝送制御システムを得ることを目的とする。
【０００７】
【課題を解決するための手段】
この発明に係るデータ伝送制御システムは、２つのストレートルートの伝送路を介して受信されたデータの両データが共に異常となる障害を検出する障害検出部と、障害検出部による両データが共に異常となる障害が検出されていない時は、２つのストレートルートの伝送路を介してデータを送信し、障害検出部による両データが共に異常となる障害が検出された時は、２つのクロスルートの伝送路を介してデータを送信する伝送制御部とを備えたものである。
【０００８】
この発明に係るデータ伝送制御システムは、２つのストレートルートの伝送路を介してヘルスチェック信号を送信するヘルスチェック信号送信部と、２つのストレートルートの伝送路を介して受信されたヘルスチェック信号の両信号が共に異常となる障害を検出する障害検出部と、障害検出部による両信号が共に異常となる障害が検出されていない時は、２つのストレートルートの伝送路を介してデータを送信し、障害検出部による両信号が共に異常となる障害が検出された時は、２つのクロスルートの伝送路を介してデータを送信する伝送制御部とを備えたものである。
【０００９】
この発明に係るデータ伝送制御システムは、２つのストレートルートおよび２つのクロスルートの伝送路を介してヘルスチェック信号を送信するヘルスチェック信号送信部と、２つのストレートルートの伝送路を介して受信されたヘルスチェック信号の両信号が共に異常となる障害を検出すると共に、２つのクロスルートの伝送路を介して受信されたヘルスチェック信号の両信号が共に異常となる障害を検出する障害検出部と、障害検出部による両信号が共に異常となる障害が検出されていない２つのストレートルートの伝送路または２つのクロスルートの伝送路を介してデータを送信する伝送制御部とを備えたものである。
【００１０】
この発明に係るデータ伝送制御システムは、障害検出部による両信号が共に異常となる信号が規定時間、あるいは規定回数以上検出された場合に障害と判定し、その障害判定後に両信号が共に正常となる信号が規定時間、あるいは規定回数以上検出された場合に回復と判定する判定部を備えたものである。
【００１１】
この発明に係るデータ伝送制御システムは、データを送信する２つのストレートルートの伝送路または２つのクロスルートの伝送路を手動により切り替え自在にする手動切り替え部と、現在使用中の伝送路のルートを表示する表示部とを備えたものである。
【００１２】
【発明の実施の形態】
以下、この発明の実施の一形態を説明する。
実施の形態１．
図１はこの発明の実施の形態１によるデータ伝送制御システムを示す構成図であり、図において、１１〜１４はＡＴＭ交換機（交換機）、１５はそれらＡＴＭ交換機１１〜１４を接続したＡＴＭ網（通信網）である。
２１はＡＴＭ交換機１１，１２にそれぞれ伝送路１６，１７を介して接続された伝送装置（第１の伝送装置）、３１はＡＴＭ交換機１３，１４にそれぞれ伝送路１８，１９を介して接続された伝送装置（第２の伝送装置）である。
２２，３２は伝送装置２１，３１にそれぞれ内蔵され、受信レベル断等により伝送路１６〜１９の障害を検出する障害検出部、２３，３３は伝送装置２１，３１にそれぞれ内蔵され、障害検出部２２，３２からの障害検出情報に応じて、通信網１５に送信するデータの通信パスを切り替える伝送制御部である。
【００１３】
なお、伝送装置２１，３１は、ＡＴＭ網１５を介してデータを双方向に伝送可能なものである。
また、伝送制御部２３，３３のそれぞれには、伝送路１６，１８とＡＴＭ交換機１１，１３とを経由するストレートルートａ、および、伝送路１７，１９とＡＴＭ交換機１２，１４とを経由するストレートルートｂを利用して通信するストレートパス、また、図２に示すように、伝送路１６，１９とＡＴＭ交換機１１，１３，１４とを経由するクロスルートｃ、および、伝送路１７，１８とＡＴＭ交換機１２，１４，１３とを経由するクロスルートｄを利用して通信するクロスパスが予め設定されている。
なお、図２は伝送路のたすきがけ障害時の伝送ルートを示す説明図である。
【００１４】
次に動作について説明する。
図１において、まず、伝送装置２１から伝送装置３１へのデータの送信では、伝送装置２１の伝送制御部２３からストレートパスを付加した同一のデータをＡＴＭ網１５に送信し、伝送路１６、ＡＴＭ交換機１１，１３、伝送路１８を経由するストレートルートａ、および伝送路１７、ＡＴＭ交換機１２，１４、伝送路１９を経由するストレートルートｂを通じて伝送装置３１に同一のデータを送信する。伝送装置３１の障害検出部３２では、受信された両データの受信レベル等から良否判定を行い、良ければ伝送制御部３３に障害なしの障害検出情報を出力し、その伝送制御部３３では、受信された同一のデータのうちの一方のデータを採用して、他方のデータを廃棄する。
また、伝送装置３１から伝送装置２１へのデータの送信においても、同様に伝送装置３１の伝送制御部３３からストレートパスを付加した同一のデータをＡＴＭ網１５に送信し、伝送路１８、ＡＴＭ交換機１３，１１、伝送路１６を経由するストレートルートａ、および伝送路１９、ＡＴＭ交換機１４，１２、伝送路１７を経由するストレートルートｂを通じて伝送装置２１に同一のデータを送信し、伝送装置２１の障害検出部２２において、受信された両データの受信レベル等から良否判定を行い、良ければ一方のデータを採用して、他方のデータを廃棄する。
【００１５】
ここで、例えば、伝送路１６に障害が生じた場合、伝送装置２１，３１の障害検出部２２，３２は、ストレートルートａを通じて受信されたデータの受信レベルの異常を検出し、伝送制御部２３，３３にストレートルートａに障害ありの障害検出情報を出力し、その伝送制御部２３，３３では、受信されたストレートルートｂのデータを採用する。
また、例えば、伝送路１６の障害が回復し、復旧された後に、伝送路１９に障害が生じた場合、伝送装置２１，３１の障害検出部２２，３２は、ストレートルートｂを通じて受信されたデータの受信レベルの異常を検出し、伝送制御部２３，３３にストレートルートｂに障害ありの障害検出情報を出力し、その伝送制御部２３，３３では、受信されたストレートルートａのデータを採用する。
【００１６】
さらに、図２に示すように、例えば、伝送路１６の障害が復旧される前に、伝送路１９に障害が生じた場合、すなわち、たすきがけ障害が生じた場合は、伝送装置２１，３１の障害検出部２２，３２は、ストレートルートａ，ｂを通じて受信されたデータの受信レベルの異常を検出し、伝送制御部２３，３３にストレートルートａ，ｂ共に障害ありの障害検出情報を出力する。
伝送制御部２３，３３では、障害検出部２２，３２からストレートルートａ，ｂ共に障害ありの障害検出情報を入力した場合、たすきがけ障害が生じたと判断して、クロスパスを付加した同一のデータをＡＴＭ網１５に送信する。
すなわち、伝送装置２１の伝送制御部２３においては、伝送路１６、ＡＴＭ交換機１１，１３，１４、伝送路１９を経由するクロスルートｃ、および伝送路１７、ＡＴＭ交換機１２，１４，１３、伝送路１８を経由するクロスルートｄを通じて伝送装置３１に同一のデータを送信する。伝送装置３１の障害検出部３２では、受信された両データの受信レベル等から良否判定を行い、良い方の受信されたクロスルートｄのデータを採用する。
また、伝送装置３１の伝送制御部３３においても、同様に伝送路１９、ＡＴＭ交換機１４，１２，１１、伝送路１６を経由するクロスルートｃ、および伝送路１８、ＡＴＭ交換機１３，１１，１２、伝送路１７を経由するクロスルートｄを通じて伝送装置２１に同一のデータを送信し、伝送装置２１の障害検出部２２において、受信された両データの受信レベル等から良否判定を行い、良い方の受信されたクロスルートｄのデータを採用する。
【００１７】
なお、上記実施の形態１によれば、ＡＴＭ網１５を４台のＡＴＭ交換機１１〜１４を接続したものとしたが、ＡＴＭ交換機は２台以上であれば何台接続したものであっても良い。
また、通信網としてＡＴＭ交換機を接続したＡＴＭ網１５を示したが、通信網は、別構成のＡＴＭ綱、または、その他の再送制御機能を持たない網であっても良い。
さらに、たすきがけ障害は、伝送路１６および伝送路１９に障害が生じた場合を想定したが、伝送路１７および伝送路１８に障害が生じた場合であっても良い。
さらに、クロスルートｃを伝送路１６、ＡＴＭ交換機１１，１３，１４、伝送路１９を経由するものとし、クロスルートｄを伝送路１７、ＡＴＭ交換機１２，１４，１３、伝送路１８を経由するものとしたが、クロスルートｃを伝送路１６、ＡＴＭ交換機１１，１２，１４、伝送路１９を経由するものとし、クロスルートｄを伝送路１７、ＡＴＭ交換機１２，１１，１３、伝送路１８を経由するものとしても良く、さらに、クロスルートｃ，ｄは両者の組み合わせであっても良い。
【００１８】
以上のように、この実施の形態１によれば、伝送路にたすきがけ障害が発生した場合でもデータ伝送を継続することができる効果が得られる。
【００１９】
実施の形態２．
図３はこの発明の実施の形態２によるデータ伝送制御システムを示す構成図であり、図において、２４，３４は伝送装置２１，３１にそれぞれ内蔵され、パケットもしくはセル等で構成されるヘルスチェック信号を定周期で２つのストレートルートａ，ｂに送信するヘルスチェック信号送信部、２５，３５は伝送装置２１，３１にそれぞれ内蔵され、ヘルスチェック信号の受信レベル断等により伝送路１６〜１９の障害を検出する障害検出部である。
その他の構成は、実施の形態１と同一なので同一符号を付してその重複する説明を省略する。
【００２０】
次に動作について説明する。
伝送装置２１のヘルスチェック信号送信部２４は、２つのストレートルートａ，ｂを介して伝送装置３１にヘルスチェック信号を定周期で送信し、伝送装置３１のヘルスチェック信号送信部３４は、２つのストレートルートａ，ｂを介して伝送装置２１にヘルスチェック信号を定周期で送信する。対応する伝送装置２１，３１に設けられた障害検出部２５，３５は、それら２つのストレートルートａ，ｂを介した双方向のヘルスチェック信号をそれぞれ受信し、その受信レベルの良否を判定する。このように、ヘルスチェック信号の送信は、定期的に伝送路１６〜１９の健全性を確認するために、定周期でかつ双方向で行われる。
２つのストレートルートａ，ｂの正常時、および一方のストレートルートの異常時の伝送制御部２３，３３の動作は実施の形態１と同一であり、２つのストレートルートａ，ｂの正常時では、いずれか一方のデータを採用し、一方のストレートルートの異常時では、ヘルスチェック信号の受信レベルが良かった方のデータを採用する。
【００２１】
ここで、図２に示したようなたすきがけ障害が発生した場合は、２つのストレートルートａ，ｂ共にヘルスチェック信号の通信が不可となり、障害検出部２５，３５は、両ルートのヘルスチェック異常を検出する。そして、両ルートのヘルスチェック異常を入力した伝送制御部２３，３３は、通信パスをストレートパスからクロスパスに切り替える。
クロスパスに切り替え後の伝送制御部２３，３３の２つのクロスルートｃ，ｄへのデータの送信動作は実施の形態１と同一である。
なお、ヘルスチェック信号送信部２４，３４からは、クロスパスに切り替え後も２つのストレートルートａ，ｂにそれぞれ継続してヘルスチェック信号が送信されている。
【００２２】
次に、例えば、たすきがけ障害の伝送路１６の障害が回復すると、障害検出部２５，３５は、ストレートルートａを介してそれぞれ正常なヘルスチェック信号を受信するため、障害検出部２５，３５は、伝送制御部２３，３３にそれぞれストレートパスの異常復旧を示すヘルスチェック正常を出力する。そして、伝送制御部２３，３３は、ストレートパスで通信を行ってもストレートルートａによって正常に通信ができると判断し、クロスパスからストレートパスに切り替える。
【００２３】
以上のように、この実施の形態２によれば、常にストレートルートａ，ｂにヘルスチェック信号を送信しているので、ストレートルートの障害後の回復を障害検出部２５，３５によって検出することができ、クロスルートｃ，ｄからストレートルートａ，ｂへの復旧を行うことができる。これにより、通常時は、ストレートパスを使用する等、通信パスの優先度を考慮したネットワーク設計が可能となる。
また、ヘルスチェック信号を定周期に送信することによって、障害検出部２５，３５では、伝送路に障害が発生したことを即座に検出することができ、ストレートルートおよびクロスルートの切り替え、切り戻しを迅速に行うことができる。
さらに、ヘルスチェック信号を定周期に送信することによって、伝送路のバースト的な擾乱時に、頻繁に通信パスの切り替え、および切り戻しが行われることを防ぎ、通信システムの安定動作を図ることができる。
さらに、クロスパスに切り替えた後、例えば、図３のポイント▲１▼およびポイント▲２▼で障害が発生した場合、通信パスをストレートパスに切り戻して引き続き正常な通信が可能となる効果が得られる。
【００２４】
実施の形態３．
図４はこの発明の実施の形態３によるデータ伝送制御システムを示す構成図であり、図において、２６，３６は伝送装置２１，３１にそれぞれ内蔵され、それぞれの障害検出部２５，３５により２つのヘルスチェック信号の受信レベルが共に異常となることが規定時間、あるいは規定回数以上検出された場合に障害と判定し、その障害判定後に２つのヘルスチェック信号の受信レベルが共に正常となることが規定時間、あるいは規定回数以上検出された場合に回復と判定するタイマ（判定部）である。
その他の構成は、実施の形態２と同一なので同一符号を付してその重複する説明を省略する。
【００２５】
次に動作について説明する。
タイマ２６，３６は、それぞれヘルスチェック信号を常時監視している障害検出部２５，３５からのヘルスチェック異常、およびヘルスチェック正常によって制御される。例えば、ヘルスチェック状態が正常である時に、障害検出部２５，３５からタイマ２６，３６にヘルスチェック異常を出力すると、タイマ２６，３６は、その時間、あるいはその回数分カウントする。そして、タイマ２６，３６によって規定回数分カウントされれば、障害検出部２５，３５から伝送制御部２３，３３に障害検出情報を出力すると共に、タイマ２６，３６をリセットする。そして、伝送制御部２３，３３は、通信パスの切り替えを行う。
なお、タイマ２６，３６は、ヘルスチェック異常を規定回数カウントするまでにヘルスチェック正常を入力すると、カウンタ値をリセットする。
【００２６】
また、ヘルスチェック状態が異常である時に、障害検出部２５，３５からタイマ２６，３６にヘルスチェック正常を出力すると、タイマ２６，３６は、その時間、あるいはその回数分カウントする。そして、タイマ２６，３６によって規定回数分カウントされれば、障害検出部２５，３５から伝送制御部２３，３３に障害が回復された障害検出情報を出力すると共に、タイマ２６，３６をリセットする。そして、伝送制御部２３，３３は、通信パスの切り替えを行う。
なお、タイマ２６，３６は、ヘルスチェック正常を規定回数カウントするまでにヘルスチェック異常を入力すると、カウンタ値をリセットする。
【００２７】
以上のように、この実施の形態３によれば、通信パスの切り替えおよび切り戻しに保護段数を設けることができ、これにより、伝送路のランダム的な擾乱時に、頻繁に通信パスの切り替えおよび切り戻しが行われることを防ぎ通信システムの安定動作を図ることができ、通信システムの信頼性をより向上させる効果が得られる。
【００２８】
実施の形態４．
図５はこの発明の実施の形態４によるデータ伝送制御システムを示す構成図であり、図において、２４ａ，２４ｂ，３４ａ，３４ｂは伝送装置２１，３１にそれぞれ内蔵され、パケットもしくはセル等で構成されるヘルスチェック信号を定周期で送信するヘルスチェック信号送信部であり、ヘルスチェック信号送信部２４ａ，３４ａは、２つのストレートルートａ，ｂに送信し、ヘルスチェック信号送信部２４ｂ，３４ｂは、２つのクロスルートｃ，ｄに送信するものである。
２５ａ，２５ｂ，３５ａ，３５ｂは伝送装置２１，３１にそれぞれ内蔵され、ヘルスチェック信号の受信レベル断等により伝送路１６〜１９の障害を検出する障害検出部であり、障害検出部２５ａ，３５ａはストレートルートａ，ｂを介して受信されたヘルスチェック信号を検出し、障害検出部２５ｂ，３５ｂはクロスルートｃ，ｄを介して受信されたヘルスチェック信号を検出するものである。
２６ａ，２６ｂ，３６ａ，３６ｂは伝送装置２１，３１にそれぞれ内蔵され、それぞれの障害検出部２５ａ，２５ｂ，３５ａ，３５ｂにより２つのヘルスチェック信号の受信レベルが共に異常となることが規定時間、あるいは規定回数以上検出された場合に障害と判定し、その障害判定後に２つのヘルスチェック信号の受信レベルが共に正常となることが規定時間、あるいは規定回数以上検出された場合に回復と判定するタイマ（判定部）である。
その他の構成は、実施の形態３と同一なので同一符号を付してその重複する説明を省略する。
【００２９】
次に動作について説明する。
図５に示したように、伝送装置２１，３１のそれぞれにヘルスチェック信号をストレートルートａ，ｂだけではなく、クロスルートｃ，ｄにも送信できるようにヘルスチェック信号送信部２４ｂ，３４ｂを設ける。また、それらヘルスチェック信号送信部２４ｂ，３４ｂに対応して、クロスルートｃ，ｄを介して受信されたヘルスチェック信号の良否判定を行う障害検出部２５ｂ，３５ｂと、それら障害検出部２５ｂ，３５ｂに対応したタイマ２６ｂ，３６ｂを設ける。
これにより、２つのストレートルートａ，ｂ、および２つのクロスルートｃ，ｄの両ルートで障害が発生している場合において、例えば、クロスルートの方が早く障害が回復したとすると、クロスルートからは正常なヘルスチェック信号が受信されるため、障害検出部２５ｂ，３５ｂのそれぞれはヘルスチェック正常をタイマ２６ｂ，３６ｂに出力し、それらタイマ２６ｂ，３６ｂよって規定回数分カウントされれば、障害検出部２５ｂ，３５ｂから伝送制御部２３，３３に障害が回復された障害検出情報を出力する。そして、伝送制御部２３，３３のそれぞれは、通信パスをストレートパスからクロスパスに切り替える。
【００３０】
以上のように、この実施の形態４によれば、常に２つのストレートルートａ，ｂ、および２つのクロスルートｃ，ｄの状態を監視しているので、伝送路の障害の回復によっていずれか１つでもルートが回復すれば、その健全なルートに通信パスを即座に切り替えることができ、通信システムの信頼性をより向上させる効果が得られる。
【００３１】
実施の形態５．
図６はこの発明の実施の形態５によるデータ伝送制御システムを示す構成図であり、図において、２７，３７は伝送装置２１，３１にそれぞれ内蔵され、データを送信する２つのストレートルートａ，ｂまたは２つのクロスルートｃ，ｄを手動により切り替え自在にする手動切り替え部、２８，３８は伝送装置２１，３１にそれぞれ内蔵され、現在使用中の伝送路のルートを表示するＬＥＤ（表示部）である。
その他の構成は、実施の形態１と同一なので同一符号を付してその重複する説明を省略する。
【００３２】
次に動作について説明する。
手動切り替え部２７，３７は、伝送制御部２３，３３の異常時で通信パスの自動切り替えが不可となった場合、または、保守点検時の障害箇所の切分け等の場合に、手動により操作し、２つのストレートルートａ，ｂおよび２つのクロスルートｃ，ｄのうち所望のルートにデータを送信するものである。
また、この時、ＬＥＤ２８，３８によって現在使用中の伝送路のルートを表示させることができ、手動操作によって所望のルートにデータを送信することができたか確認することができ、操作員の安心感および保守点検の効率を高めることができる。
【００３３】
以上のように、この実施の形態５によれば、手動切り替え部２７，３７およびＬＥＤ２８，３８によって、通信エラー時の障害箇所の切分けなど保守点検を簡便に行うことができ、また、伝送制御部２３，３３の異常時で通信パスの自動切り替えが不可となった場合等、手動で通信パスを切り替えて通信を再開させることができ、通信システムの保守運用性をより向上させる効果が得られる。
【００３４】
【発明の効果】
以上のように、この発明によれば、２つのストレートルートの伝送路を介して受信されたデータの両データが共に異常となる障害を検出する障害検出部と、障害検出部による両データが共に異常となる障害が検出されていない時は、２つのストレートルートの伝送路を介してデータを送信し、障害検出部による両データが共に異常となる障害が検出された時は、２つのクロスルートの伝送路を介してデータを送信する伝送制御部とを備えるように構成したので、伝送路にたすきがけ障害が発生した場合でもデータ伝送を継続することができ、伝送路の健全性をより高めると共に通信システムの信頼性を向上させる効果が得られる。
【００３５】
この発明によれば、２つのストレートルートの伝送路を介してヘルスチェック信号を送信するヘルスチェック信号送信部と、２つのストレートルートの伝送路を介して受信されたヘルスチェック信号の両信号が共に異常となる障害を検出する障害検出部と、障害検出部による両信号が共に異常となる障害が検出されていない時は、２つのストレートルートの伝送路を介してデータを送信し、障害検出部による両信号が共に異常となる障害が検出された時は、２つのクロスルートの伝送路を介してデータを送信する伝送制御部とを備えるように構成したので、伝送路にたすきがけ障害が発生した場合でもデータ伝送を継続することができ、また、２つのストレートルートの伝送路を介してヘルスチェック信号を送信しているので、ストレートルートの障害後の回復を障害検出部によって検出することができ、１つでもストレートルートが回復すれば、クロスルートからストレートルートへ復旧することができ、伝送路の健全性をより高めると共に、通信システムの保守管理性および信頼性を向上させる効果が得られる。
【００３６】
この発明によれば、２つのストレートルートおよび２つのクロスルートの伝送路を介してヘルスチェック信号を送信するヘルスチェック信号送信部と、２つのストレートルートの伝送路を介して受信されたヘルスチェック信号の両信号が共に異常となる障害を検出すると共に、２つのクロスルートの伝送路を介して受信されたヘルスチェック信号の両信号が共に異常となる障害を検出する障害検出部と、障害検出部による両信号が共に異常となる障害が検出されていない２つのストレートルートの伝送路または２つのクロスルートの伝送路を介してデータを送信する伝送制御部とを備えるように構成したので、伝送路にたすきがけ障害が発生した場合でもデータ伝送を継続することができ、また、２つのストレートルートおよび２つのクロスルートの伝送路を介してヘルスチェック信号を送信しているので、障害の回復によっていずれか１つでもルートが回復すれば、その健全なルートに即座に切り替えを行うことができ、通信システムの信頼性をより向上させる効果が得られる。
【００３７】
この発明によれば、障害検出部による両信号共に異常となる信号が規定時間、あるいは規定回数以上検出された場合に障害と判定し、その障害判定後に両信号が共に正常となる信号が規定時間、あるいは規定回数以上検出された場合に回復と判定する判定部を備えるように構成したので、通信ルートの切り替えおよび切り戻しに保護段数を設けることができ、伝送路のランダム的な擾乱時に、頻繁に通信ルートの切り替えおよび切り戻しが行われることを防ぎ、通信システムの安定動作を図ることができ、通信システムの信頼性をより向上させる効果が得られる。
【００３８】
この発明によれば、データを送信する２つのストレートルートの伝送路または２つのクロスルートの伝送路を手動により切り替え自在にする手動切り替え部と、現在使用中の伝送路のルートを表示する表示部とを備えるように構成したので、通信エラー時の障害箇所の切分けなど保守点検を簡便に行うことができ、また、伝送制御部の異常時で通信ルートの自動切り替えが不可となった場合等、手動で通信ルートを切り替えて通信を再開させることができ、通信システムの保守運用性をより向上させる効果が得られる。
【図面の簡単な説明】
【図１】  この発明の実施の形態１によるデータ伝送制御システムを示す構成図である。
【図２】  伝送路のたすきがけ障害時の伝送ルートを示す説明図である。
【図３】  この発明の実施の形態２によるデータ伝送制御システムを示す構成図である。
【図４】  この発明の実施の形態３によるデータ伝送制御システムを示す構成図である。
【図５】  この発明の実施の形態４によるデータ伝送制御システムを示す構成図である。
【図６】  この発明の実施の形態５によるデータ伝送制御システムを示す構成図である。
【図７】  従来の２ルート伝送制御システムを示すシーケンス図である。
【符号の説明】
１１〜１４  ＡＴＭ交換機（交換機）、１５  ＡＴＭ網（通信網）、１６〜１９  伝送路、２１  伝送装置（第１の伝送装置）、２２，２５，２５ａ，２５ｂ，３２，３５，３５ａ，３５ｂ  障害検出部、２３，３３  伝送制御部、２４，２４ａ，２４ｂ，３４，３４ａ，３４ｂ  ヘルスチェック信号送信部、２６，２６ａ，２６ｂ，３６，３６ａ，３６ｂ  タイマ（判定部）、２７，３７  手動切り替え部、２８，３８  ＬＥＤ（表示部）、３１  伝送装置（第２の伝送装置）。
【図１】
0004302290.tif 000002
【図２】
0004302290.tif 000003
【図３】
0004302290.tif 000004
【図４】
0004302290.tif 000005
【図５】
0004302290.tif 000006
【図６】
0004302290.tif 000007
【図７】
0004302290.tif 000008